(57)【要約】【課題】衝撃吸収機能を有するアンダーキャリッジを提供する。【解決手段】下段部の内側に複数の防振ローラが装着された対向する一対のローラフレームと、一対のローラフレームの間に位置し、中央にターンテーブルが備えられたメインフレームと、メインフレームとローラフレームとを相互連結させる緩衝ブリッジが形成されることを特徴とする衝撃吸収機能を有するアンダーキャリッジである。また、本発明のアンダーキャリッジは、ローラフレーム上に装着されるローラを防振ローラに交替すると同時に、メインフレームとローラフレームとの間に緩衝ブリッジを固定させることによって、防振ローラ及び緩衝ブリッジによって外部衝撃を二重に吸収して建設機器の乗車感を向上させうる。【選択図】図１
2006327567.tif 000002
【特許請求の範囲】
【請求項１】
下段部の内側に複数の防振ローラが形成された対向する一対のローラフレームと、
前記対向するローラフレームの間に位置し、中央にターンテーブルが備えられたメインフレームと、
前記メインフレームとローラフレームとを相互連結させる緩衝ブリッジと、を備えることを特徴とする衝撃吸収機能を有するアンダーキャリッジ。
【請求項２】
前記防振ローラは、円筒状のローラボディと、前記ローラボディの中心に装着されるローラシャフトと、前記ローラシャフトの両側端に装着され、ダブテールが加工されているカラー部と、前記カラー部のダブテール部分を支持すると同時に、前記防振ローラを固定するナットと、前記ナットを貫通して前記防振ローラ上に締結されるボルトと、前記カラー部と前記ナットとの間に付着されるローラ用防振ゴムと、を備えることを特徴とする請求項１に記載の衝撃吸収機能を有するアンダーキャリッジ。
【請求項３】
前記防振ローラは、円筒状のローラボディと、前記ローラボディの両側端に装着されるカラーと、前記ローラボディとカラーを貫通して装着されるローラシャフトと、前記ローラシャフトの両側端に装着され、内側面に防振ゴムが付着される位置固定部と、を備えることを特徴とする請求項１に記載の衝撃吸収機能を有するアンダーキャリッジ。
【請求項４】
前記ターンテーブルは、メインフレームの中央に装着され、ターンテーブルとメインフレームとの間にターンテーブル用防振ゴムが形成されることを特徴とする請求項１に記載の衝撃吸収機能を有するアンダーキャリッジ。
【請求項５】
前記ターンテーブルの下段部の底に空間部が形成されることを特徴とする請求項１に記載の衝撃吸収機能を有するアンダーキャリッジ。
【請求項６】
前記緩衝ブリッジは、一側がメインフレームの角部分に固定され、他側は、ローラフレーム上に固定されて、メインフレームが上下左右に流動可能であることを特徴とする請求項１に記載の衝撃吸収機能を有するアンダーキャリッジ。
【請求項７】
前記緩衝ブリッジは、複数のブリッジ用防振ゴムと鋼板とが交互に積層されて構成されることを特徴とする請求項１に記載の衝撃吸収機能を有するアンダーキャリッジ。
【発明の詳細な説明】
【技術分野】
【０００１】
本発明は、建設機械に装着されるアンダーキャリッジに係り、アンダーキャリッジのローラフレームの下段部の内側に装着されるローラを防振ローラに交替すると同時に、メインフレームとローラフレームとの間に緩衝ブリッジを固定させることによって、アンダーキャリッジから発生する外部衝撃を最小化して乗車感を向上させうる衝撃吸収機能を有するアンダーキャリッジに関する。
【背景技術】
【０００２】
一般的に、アンダーキャリッジとは、建設機械、例えば、掘削機などの下部走行体を称し、このような下部走行体であるアンダーキャリッジには、無限トラックであるゴムトラックが装着される。
従来のアンダーキャリッジをさらに詳細に説明すれば、図１２は、従来のアンダーキャリッジを示す斜視図であり、図１３は、従来のアンダーキャリッジに装着されるトラックローラの右側図面であって、従来のアンダーキャリッジは、本体が一体型に形成されており、材質は、全体的にスチール材質でなされている。
従来のアンダーキャリッジのローラフレーム２０ａの内部には、複数のトラックローラ（図示せず）が装着され、トラックローラの外側には、公知のゴムトラックが覆い包むように結合される。
また、ローラフレーム２０ａ及びメインフレーム５０ａは、ボディブリッジ４０ａによって連結され、メインフレーム５０ａの中央には、ホールが形成されてターンテーブル７０ａが装着される。
一方、従来のアンダーキャリッジは、建設機械など無限トラックを有する車両でよく見られ、当業者にとって公知の構造であるので、ここで、それについての詳細な説明は省略する。
前記のように、従来のアンダーキャリッジは、外部の衝撃を吸収できる別途の衝撃吸収装置が付着されていない。したがって、現在、スチール材質の無限トラックが装着されて使われるほとんどの掘削機では、路面の条件によって発生する衝撃がアンダーキャリッジを通じて運転手にそのまま伝えられて、掘削機運転手の疲労度が上昇するので、作業能率が低下するという問題点がある。
それは、アンダーキャリッジがスチール材質で一体型に構成されたため、路面から発生した衝撃を吸収できず、アンダーキャリッジ及び運転手にその衝撃が直接伝達されるためである。このような衝撃によって掘削機自体の寿命も短縮するという問題点もあった。
【発明の開示】
【発明が解決しようとする課題】
【０００３】
本発明は、前述した問題点を解決するためのものであって、アンダーキャリッジのローラフレーム上に装着されるローラを防振ローラに交替すると同時に、メインフレームとローラフレームとの間に緩衝ブリッジを固定させてアンダーキャリッジから発生する外部衝撃を最小化し、乗車感を向上させうる衝撃吸収機能を有するアンダーキャリッジを提供することを目的とする。
【課題を解決するための手段】
【０００４】
前記目的を達成するために本発明は、対向する一対のローラフレームと、前記対向するローラフレームの間に上下左右に流動可能に装着されるメインフレームと、前記メインフレームと前記ローラフレームとの間を横切って連結される緩衝ブリッジと、前記メインフレームの中央に装着されるターンテーブルと、前記ローラフレーム上に装着される複数の防振ローラと、を備えることを特徴とする衝撃吸収機能を有するアンダーキャリッジを提供する。
【発明の効果】
【０００５】
本発明により、走行時の路面の衝撃荷重だけでなく、作業時に発生する上部振動の下部伝達を緩和させて乗車感の向上と車体の安定性確保及び耐久寿命を顕著に延長させうる。
また、本発明は、車体の駆動時の路面形状及び作業地の条件によって発生する衝撃荷重が車体に伝えられることを、防振要素を通じて多段階に緩和させて乗車感及び車体耐久性を向上させうる。
また、本発明により、掘削機の車体に伝達される衝撃荷重の伝達を遮断して振動及びノイズを減少させることによって、機器の運行時に操作者の乗車感を顕著に向上させて作業能率を向上させ、車体の耐久寿命を延長させうる。
【発明を実施するための最良の形態】
【０００６】
以下、添付された図面を参照して、本発明について詳細に説明する。
図１は、本発明による衝撃吸収機能を有するアンダーキャリッジの詳細図であり、図２は、本発明による衝撃吸収機能を有するアンダーキャリッジの平面図であり、図３は、本発明による衝撃吸収機能を有するアンダーキャリッジの底面図であり、図４は、本発明による衝撃吸収機能を有するアンダーキャリッジの正面図であり、図５は、本発明による衝撃吸収機能を有するアンダーキャリッジの右側図面である。
本発明のアンダーキャリッジは、対向する一対のローラフレーム２０と前記対向するローラフレーム２０との間に上下左右に流動自在に位置するメインフレーム５０及び、前記メインフレーム５０と前記ローラフレーム２０との間を横切って連結される緩衝ブリッジ４０からなる。
また、前記ローラフレーム２０の下段部の内側には、複数の防振ローラ１０が装着されることを特徴とする。
以下、それぞれの部材についてさらに詳細に説明する。
一対のローラフレーム２０は、対向するビーム２１と前記ビーム２１の間に固定される連結バー２２とで構成されている。一方、ローラフレーム２０内には、複数の防振ローラ１０が装着されており、防振ローラ１０の構成は、後述する。
メインフレーム５０は、後述する緩衝ブリッジ４０によって前記ローラフレーム２０の間に上下左右に流動自在に装着され、メインフレーム５０上には、ドーザフレーム連結用ホール６０及び油圧ホース装着用ホール５０−１が形成されている。
ターンテーブル７０を図１１を通じて説明すれば、ターンテーブル７０は、前記メインフレーム５０の中央に装着されるが、ターンテーブル７０とメインフレーム５０との間には、ターンテーブル用防振ゴム７０−１が付着される。また、ターンテーブル７０の下部の底には、空間部７０−２が形成されて空間部によっても衝撃が吸収される。
緩衝ブリッジ４０の一側は、ローラフレーム２０側に固定され、他側は、メインフレーム５０上に固定されるが、その詳細な構成を図１０を通じて説明すれば、複数のブリッジ用防振ゴム４０−２と鋼板４０−３とが交互に積層されて構成される。一方、緩衝ブリッジ４０の最外側の両側端には、鋼板４０−１，４０−４が付着されて、ローラフレーム２０とメインフレーム５０とを連結するのに利用される。一方、３０は、モータケースである。
図６は、本発明による衝撃吸収機能を有するアンダーキャリッジ防振ローラ１０の正面図であり、図７は、本発明による衝撃吸収機能を有するアンダーキャリッジ防振ローラの右側図面であって、防振ローラ１０は、前述したビーム２１の間に複数個が装着されるが、その構成を説明すれば、円筒状のローラボディ１０−６と前記ローラボディ１０−６の中心に装着されるローラシャフト１０−５及び前記ローラシャフト１０−５の両側端に装着され、ダブテール部が加工されているカラー部１０−１と、前記カラー部１０−１のダブテール部Ａを支持すると同時に、前記防振ローラ１０を固定するナット１０−３と、前記ナット１０−３を貫通して前記防振ローラ上に締結されるボルト１０−２と、で構成されている。一方、カラー部１０−１とナット１０−３との間には、ローラ用防振ゴム１０−４が付着されて衝撃を吸収する。また、ナット１０−３の一側には、前記ダブテール部Ａと対応する傾斜面を有する。
図８は、本発明による衝撃吸収機能を有するアンダーキャリッジの他の実施例であって、ローラの正面図であり、図９は、本発明による衝撃吸収機能を有するアンダーキャリッジの他の実施例であて、ローラの右側図面である。ここで、本発明の一部である防振ローラの他の実施例である防振ローラ１１は、円筒状のローラボディ１１−４と、前記ローラボディ１１−４の両側端に装着されるカラー１１−１と、前記ローラボディ１１−４とカラー１１−１とを貫通して装着されるローラシャフト１１−５と、前記ローラシャフト１１−５の両側端に装着され、内側面に防振ゴムが付着される位置固定部１１−２からなる。一方、位置固定部１１−２には、ボルトを締結できる孔が形成されて防振ローラ１１自体をローラフレーム２０上に装着できるように構成される。
以下、本発明によるアンダーキャリッジによって衝撃が吸収される過程を説明すれば、次の通りである。
外部で振動や衝撃が発生する場合、その衝撃をローラフレーム２０の内部に装着されている防振ローラで１次に吸収する。防振ローラの形態は、前述したように、２つの形態がある。
図６に例示した防振ローラ１０の衝撃吸収過程を説明すれば、ダブテールＡとナット１０−３との間に位置したローラ用防振ゴム１０−４によって上下左右に発生する振動が吸収される。
図８に例示した防振ローラ１１の衝撃吸収過程を説明すれば、位置固定部１１−２上に付着された防振ゴム１１−３で１次に衝撃を吸収する。
以後、緩衝ブリッジのブリッジ用防振ゴム４０−２によって衝撃が２次に吸収される。このような緩衝ブリッジ４０は、ブリッジ用防振ゴム４０−２と鋼板４０−３とが交互に積層されて衝撃を効果的に吸収する。以後、ターンテーブル７０の下部に付着されているターンテーブル用防振ゴム７０−１によって衝撃が３次に吸収される。それと同時に、下部の空間部７０−２によってさらに効果的に衝撃が吸収される。
本発明は、図面に示された実施形態を参考として説明されたが、これは、例示的なものに過ぎず、当業者ならば、これから多様な変形及び均等な他の実施形態が可能であるということが分かるであろう。したがって、本発明の真の技術的保護範囲は、特許請求の範囲の技術的思想によって決定されねばならない。
【産業上の利用可能性】
【０００７】
本発明のアンダーキャリッジは、例えば、掘削機などの建設機械に適用可能である。
【図面の簡単な説明】
【０００８】
【図１】本発明による衝撃吸収機能を有するアンダーキャリッジの詳細図である。
【図２】本発明による衝撃吸収機能を有するアンダーキャリッジの平面図である。
【図３】本発明による衝撃吸収機能を有するアンダーキャリッジの底面図である。
【図４】本発明による衝撃吸収機能を有するアンダーキャリッジの正面図である。
【図５】本発明による衝撃吸収機能を有するアンダーキャリッジの右側図面である。
【図６】本発明による衝撃吸収機能を有するアンダーキャリッジの防振ローラの正面図である。
【図７】本発明による衝撃吸収機能を有するアンダーキャリッジの防振ローラの右側図面である。
【図８】本発明による衝撃吸収機能を有するアンダーキャリッジの他の実施例であって、ローラの正面図である。
【図９】本発明による衝撃吸収機能を有するアンダーキャリッジの他の実施例であって、ローラの右側図面である。
【図１０】本発明による衝撃吸収機能を有するアンダーキャリッジブリッジの右側図面である。
【図１１】本発明による衝撃吸収機能を有するアンダーキャリッジのターンテーブルの断面図である。
【図１２】従来のアンダーキャリッジを示す斜視図である。
【図１３】従来のアンダーキャリッジに装着されるトラックローラの右側図面である。
【符号の説明】
【０００９】
１０   防振ローラ                  １０−１ カラー部 
１０−２ ボルト                    １０−３ ナット
１０−４ ローラ用防振ゴム          １０−５ ローラシャフト
１０−６ ローラボディ              １１ 防振ローラ
１１−１ カラー                    １１−２ 位置固定部
１１−３ 防振ゴム                  １１−４ ローラボディ
１１−５ ローラシャフト            ２０  ローラフレーム
２１  ビーム                       ２２  連結バー
３０  モータケース                 ４０  緩衝ブリッジ
４０−１,４０−３,４０−４ 鋼板    ４０−２ ブリッジ用防振ゴム   
５０  メインフレーム               ５０−１  装着用ホール      
６０  ドーザフレーム連結用ホール   ７０  ターンテーブル        
７０−１ ターンテーブル用防振ゴム  ７０−２  空間部
【図２】
2006327567.tif 000003
【図３】
2006327567.tif 000004
【図４】
2006327567.tif 000005
【図５】
2006327567.tif 000006
【図６】
2006327567.tif 000007
【図７】
2006327567.tif 000008
【図８】
2006327567.tif 000009
【図９】
2006327567.tif 000010
【図１０】
2006327567.tif 000011
【図１１】
2006327567.tif 000012
【図１】
2006327567.tif 000013
【図１２】
2006327567.tif 000014
【図１３】
2006327567.tif 000015